(57)【要約】      （修正有）【課題】フィルムスキャナの小形化を図るために、鏡面の助けを受けて透過光の方向及び経路の両方を変更するフィルムスキャナを提供する。【解決手段】フィルムスキャナ２００は、感知モジュール２５０上でフィルムに写される画像を集束するために光の経路及び方向を変更するための鏡面２４０を含む。そのような配置を用いることで、フィルムスキャナの高さは短縮され、その結果、フィルムスキャナの容積も減少される。フィルムスキャナには、画像処理モジュール２７０を実行又は実施する回路板上の駆動プログラムも焼き付けられる。よって、フィルムスキャナは、コンピュータに接続されなくとも、フィルムに写された画像を走査することができ、その結果、フィルムスキャナの使用及び携帯の便宜がもたらされる。【選択図】図２
0003164425.tif 000002
【実用新案登録請求の範囲】
【請求項１】
第一内側と、第二内側と、第三内側とを有するハウジングと、
該ハウジングの前記第三内側に配置されるバックライトモジュールと、
前記ハウジング内に配置され且つ前記バックライトモジュールに対応するフィルムホルダと、
前記ハウジングの前記第一内側に配置される感知モジュールと、
該感知モジュールに接続される画像処理モジュールと、
前記ハウジングの前記第二内側に配置される鏡面とを含み、
前記感知モジュールは、前記感知モジュールが延長する向きに前記鏡面と開先角度を形成する、
フィルムスキャナ。
【請求項２】
保護デジタルメモリカードを支持するための保護デジタルメモリカードホルダを更に含む、請求項１に記載のフィルムスキャナ。
【請求項３】
前記ハウジングに配置されるディスプレイパネルを更に含む、請求項１に記載のフィルムスキャナ。
【請求項４】
前記ハウジングに配置される制御パネルを更に含む、請求項１に記載のフィルムスキャナ。
【請求項５】
前記画像処理モジュールは、回路板で実施され、該回路板には、前記画像処理モジュールを駆動するための駆動プログラムが焼き付けられる、請求項１に記載のフィルムスキャナ。
【請求項６】
前記フィルムホルダは、前記ハウジングの内側底部に配置され、前記バックライトモジュールは、前記フィルムホルダの下側で前記ハウジングの前記内側底部に配置される、請求項１に記載のフィルムスキャナ。
【請求項７】
前記フィルムホルダは、前記ハウジングの内側頂部に配置され、前記バックライトモジュールは、前記フィルムホルダの上側で前記内側頂部に配置される、請求項１に記載のフィルムスキャナ。
【請求項８】
前記フィルムスキャナは、受電ベースを含む、請求項１に記載のフィルムスキャナ。
【考案の詳細な説明】
【技術分野】
【０００１】
本考案は、フィルムスキャナに関し、より具体的には、その容積を減少するために鏡面の助けを受けて透過光の方向及び経路の両方を変更するフィルムスキャナに関する。
【背景技術】
【０００２】
従来的なカメラは、画像を記録するためのフィルムを収容し、フィルムは、ポジフィルム又はネガフィルムを含む。観察者がフィルム上のフィルム画像を観察したいときには、フィルム上のフィルム画像を示すために、フィルムを無地写真上に化学的に現像し得る。その上、フィルム画像を表示し、或いは、相応して、フィルム画像をメモリ内に記憶するために、フィルムを光で走査（スキャン）することによってフィルム上のフィルム画像をデジタル画像にも変換することもできる。
【０００３】
しかしながら、上述の技法で実施される従来的なフィルムスキャナは、所定の長さを備える透過光のための経路を必要とし、従って、結果的に、従来的なフィルムスキャナに求められる容積はより大きくなる。図１を参照すると、従来的なフィルムスキャナ１００の側面図が概略的に示されている。図１に示されるように、フィルムスキャナ１００は、ハウジング１１０と、カメラレンズ４４２と、フィルムホルダ１３０と、ベース３０と、バックライトモジュール３２とを含み、バックライトモジュール３２は、ベース３０の上側に配置される。フィルムがフィルムホルダ１３０上に支持される間、フィルムスキャナ１００が、フィルムに写された画像を受け取り、受け取った画像をデジタル化し得るよう、バックライトモジュール３２によって与えられる光はフィルムを通ってカメラレンズ４４２に至る。図１に観察され得るように、光がフィルムホルダによって支持されたフィルムを通過した後、フィルムに写された画像をカメラレンズ４４２上に完全に集束させるために、光はフィルムスキャナの内側の殆ど、即ち、図１中に表示される経路長Ａを通過してカメラレンズ４４２に至る。従って、フィルムスキャナ１００は、その容積において、より大きくなければならない。
【０００４】
その上、コンピュータの使用者がコンピュータをインターフェースとして使用してフィルムスキャナを動作し、フィルムを走査し、且つ、走査されたフィルムから変換されたデジタル画像を記憶し得るよう、従来的なフィルムスキャナはコンピュータに直接的に接続されなければならない。しかしながら、フィルムスキャナをコンピュータと接続することは使用者に不便もきたす。
【考案の概要】
【考案が解決しようとする課題】
【０００５】
本考案は、従来技術の問題点を解決することを目的とする。
【課題を解決するための手段】
【０００６】
請求される考案は、フィルムスキャナを開示する。フィルムスキャナは、ハウジングと、バックライトモジュールと、フィルムホルダと、感知モジュールと、画像処理モジュールと、鏡面とを含む。ハウジングは、第一内側と、第二内側と、第三内側とを有する。バックライトモジュールは、ハウジングの第三内側に配置される。フィルムホルダは、ハウジング内に配置され、バックライトモジュールに対応する。感知モジュールは、ハウジングの第一内側に配置される。画像処理モジュールは、感知モジュールに接続される。鏡面は、ハウジングの第二内側に配置される。感知モジュールは、感知モジュールが延びる向きに鏡面と開先角度を形成する。
【０００７】
様々な図面及び図に例証されている好適実施態様の以下の詳細な記載を判読した後、本考案のこれらの及び他の目的は、当業者に疑いなく明らかになるであろう。
【図面の簡単な説明】
【０００８】
【図１】従来的なフィルムスキャナを概略的に示す側面図である。
【図２】本考案の第一実施態様に従ったフィルムスキャナを概略的に示す側面図であり、フィルムスキャナ内に含まれる素子を例証している。
【図３】本考案の第一実施態様に従ったフィルムスキャナを概略的に示す側面図である。
【図４】本考案の第一実施態様に従ったフィルムスキャナを概略的に示す側面図である。
【図５】本考案の第一実施態様に従ったフィルムスキャナを概略的に示す側面図である。
【図６】本考案の第一実施態様に従ったフィルムスキャナを概略的に示す側面図である。
【図７】本考案の第一実施態様に従ったフィルムスキャナを概略的に示す側面図である。
【図８】図２乃至７に示されるフィルムスキャナを概略的に示す斜視図である。
【図９】本考案の第二実施態様に従ったフィルムスキャナの概略的な側面図であり、フィルムスキャナ内に含まれる素子を例証している。
【図１０】本考案の第二実施態様に従ったフィルムスキャナの概略的な側面図である。
【図１１】本考案の第二実施態様に従ったフィルムスキャナの概略的な側面図である。
【図１２】本考案の第二実施態様に従ったフィルムスキャナの概略的な側面図である。
【図１３】本考案の第二実施態様に従ったフィルムスキャナの概略的な側面図である。
【図１４】本考案の第二実施態様に従ったフィルムスキャナの概略的な側面図である。
【図１５】図９乃至１４に示されるフィルムスキャナを概略的に示す斜視図である。
【考案を実施するための形態】
【０００９】
図２乃至７は、本考案の第一実施態様に従ったフィルムスキャナ２００の概略的な側面図である。図２は、フィルムスキャナ２００内に含まれる素子を例証するための側面図であり、図８は、フィルムスキャナ２００の概略的な斜視図である。図２乃至８に示されるように、フィルムスキャナ２００は、ハウジング２１０と、フィルムホルダ２２０と、バックライトモジュール２３０と、鏡面２４０と、感知モジュール２５０と、保護デジタルメモリカードホルダ２６０と、画像処理モジュール２７０と、ディスプレイパネル２８０と、制御パネル２９０とを含む。感知モジュール２５０は、ハウジング２１０の内側の頂部付近で、ハウジング２１０の内側の第一内側に配置される。鏡面２４０は、ハウジング２１０の内側の第二内側に配置され、ハウジング２１０第一内側及び第二内側は、図２に示される角度Θ１のような開光角度(included  angle)を形成する。フィルムホルダ２３０は、ハウジング２１０の内側底部に配置される。バックライトモジュール２３０がフィルムホルダ２２０上に支持されたフィルムに写された画像を表示するのに必要な光を提供し得るよう、バックライトモジュール２３０は、ハウジング２１０の内側底部に配置され、フィルムホルダ２２０は、バックライトモジュール２３０の上側に配置される。鏡面２４０は、バックライトモジュール２３０から来てフィルムを通る光を反射するために使用され、感知モジュール２５０は、ハウジング内部に配置され、鏡面２４０から反射された光を集光するために使用され、フィルムに写された画像を受け取る。画像処理モジュール２７０は、受け取った画像をデジタル画像に変換するために使用される。本考案のある実施態様において、画像処理モジュール２７０は、回路板で実施され、回路板には、受け取った画像をデジタル画像に変換する機能を実施するよう、画像処理モジュール２７０を駆動するための駆動プログラムが焼き付けられる。画像処理モジュール２７０は、デジタル画像を出力するが、画像処理モジュール２７０は、フィルムスキャナの使用者によって制御パネル２９０から発せられる指令に従って、ハウジング２１０内に埋設された伝送線を通じてデジタル画像をディスプレイパネル２８０に伝送し得る。伝送線は図面の明瞭性のために例証されていない。画像処理モジュール２７０は、使用者によって制御パネル２９０から発せられる指令に従って、保護デジタルメモリカードホルダ２６０によって支持される保護デジタルメモリカード内にデジタル画像を記憶することもできる。使用者は、保護デジタルメモリカードホルダ２６０から保護デジタルメモリカードを取り出し、前記保護デジタルメモリカードを外部画像読取装置内にロードすることによって、安全デジタルカード内に記憶されるデジタル画像を観察し得る。本考案のある実施態様では、図７に示されるように、フィルムスキャナ２００に所要電力を供給するために、受電ベース２６５も配置し得る。
【００１０】
本考案に開示されるフィルムスキャナ２００は、鏡面２４０の助けを受けてバックライトモジュール２３０からの光を感知モジュール２５０に反射することを主な特徴とし、光の経路（光路）の全長は、図２に示される経路長Ａ１に経路長Ａ２を加えたものと等しく、全長は図１に示される経路長Ａとおおよそ等しい。換言すれば、図１に示されるフィルムスキャナ１００と比較すると、本考案に開示されるフィルムスキャナ２００が必要とする高さはより短い。その上、経路長Ａ２はフィルムスキャナ２００の元々の幅の部分を取るに過ぎないので、フィルムスキャナ２００の容積は、最大でもフィルムスキャナ１００の容積の
【数１】
0003164425.tif 000003
である。結果的に、フィルムスキャナ２００は、フィルムスキャナ１００よりも容積がずっと小さい。その上、光路は１回だけ回転されるに過ぎない、即ち、フィルムスキャナ２００内の光路の方向は１回だけ変更されるので、光の輝度の損失は無視し得る程度であり得る。よって、感知モジュール２５０によって受け取られる画像の明らかな歪みは導入されない。その上、使用者にコンピュータの助けを受けてフィルムスキャナ２００を動作させるために、フィルムスキャナ２００はコンピュータに接続される必要はない。その代わり、使用者は、画像処理モジュール２７０を実施する回路板上にインストールされた駆動プログラムの助けだけを受けて、フィルムスキャナ２００を直接的に作動し得る。従って、使用者による使用及び携帯の便宜ももたらし得る。
【００１１】
図９乃至１４は、本考案の第二実施態様に従ったフィルムスキャナ３００の概略的な側面図である。図９は、フィルムスキャナ３００内に含まれる素子を例証するための側面図であり、図１５は、フィルムスキャナ３００の概略的な斜視図である。図９乃至１５に示されるように、フィルムスキャナ３００は、ハウジング３１０と、フィルムホルダ３２０と、バックライトモジュール３３０と、鏡面３４０と、感知モジュール３５０と、保護デジタルメモリカードホルダ３６０と、画像処理モジュール３７０と、ディスプレイパネル３８０と、制御パネル３９０とを含む。更に、受電ベース３６５もフィルムスキャナ３００に含め得る。感知モジュール３５０は、ハウジング３１０の内側底部に近接して、ハウジングの第一内側に近接して配置される。鏡面３４０は、ハウジング３１０の第二内側に配置され、感知モジュール３５０は、ハウジング３１０の第二内側と開先角度、例えば、図９に示される角度Θ２を形成する。フィルムホルダ２２０がフィルムスキャナ２００の内側底部に配置されるのに対し、フィルムホルダ３２０はフィルムスキャナ３００の内側頂部に配置されるという事実を除き、フィルムスキャナ３００は、構成及び素子において、図２乃至８に示されるフィルムスキャナ２００と類似している。その事実に基づき、鏡面３４０から反射される光を受光するために、図９に示されるように、バックライトモジュール３３０は、フィルムスキャナ３００の内側頂部に配置され、感知モジュール３５０は、フィルムスキャナ３００の内側底部に配置される。フィルムスキャナ３００内側の光の経路長は、フィルムスキャナ２００内側の光の経路長と類似する。よって、フィルムスキャナ３００もその容積を減少し得る。
【００１２】
本考案は、感知モジュール上でフィルムに写される画像を集束する光の経路及び方向を変更するための鏡面を含むフィルムスキャナを含む。そのような配置を用いることで、フィルムスキャナの高さは短縮され、結果的に、フィルムスキャナの容積も短縮される。本考案のフィルムスキャナには、画像処理モジュールを実行又は実施する回路板上の駆動プログラムも焼き付けられるので、フィルムスキャナは、コンピュータに接続されなくとも、フィルムに写された画像を走査することができ、結果的に、フィルムスキャナの使用及び携帯における便宜をもたらす。
【００１３】
当業者は、本考案の教示を維持しながら装置及び方法の数多くの修正及び変更を行い得ることを直ちに認めるであろう。
【符号の説明】
【００１４】
３０    ベース
３２    バックライトモジュール
１００  フィルムスキャナ
１１０  ハウジング
１３０  フィルムホルダ
２００  フィルムスキャナ
２１０  ハウジング
２２０  フィルムホルダ
２３０  バックライトモジュール
２４０  鏡面
２５０  感知モジュール
２６０  デジタルメモリカードホルダ
２６５  受電ベース
２７０  画像処理モジュール
２８０  ディスプレイパネル
２９０  制御パネル
３００  フィルムスキャナ
３１０  ハウジング
３２０  フィルムホルダ
３３０  バックライトモジュール
３４０  鏡面
３５０  感知モジュール
３６０  保護デジタルメモリカードホルダ
３６５  受電ベース
３７０  画像処理モジュール
３８０  ディスプレイパネル
３９０  制御パネル
４４２  カメラレンズ
【図１】
0003164425.tif 000004
【図２】
0003164425.tif 000005
【図３】
0003164425.tif 000006
【図４】
0003164425.tif 000007
【図５】
0003164425.tif 000008
【図６】
0003164425.tif 000009
【図７】
0003164425.tif 000010
【図８】
0003164425.tif 000011
【図９】
0003164425.tif 000012
【図１０】
0003164425.tif 000013
【図１１】
0003164425.tif 000014
【図１２】
0003164425.tif 000015
【図１３】
0003164425.tif 000016
【図１４】
0003164425.tif 000017
【図１５】
0003164425.tif 000018